(57)【要約】【課題】本発明の入力装置は、誤入力を防止することができると共に、小型化が可能で操作性に優れた入力装置を提供すること。【解決手段】本発明の入力装置１は、回転自在の回転部材７を備え、この回転部材７の外側には、回転部材７の回転軸芯と平行な方向に回動自在の回動部材１０を配設し、回転部材７の回転操作で第１の入力が可能第１の入力部８と、回動部材１０の回動操作で第２の入力が可能な第２の入力部（図示せず）とを有するので、異なる第１、第２の入力を行うことができる。【選択図】        図１
2004334290.tif 000002
【特許請求の範囲】
【請求項１】
回転自在の回転部材の回転操作で第１の入力が可能な第１の入力部と、前記回転部材を囲むように設けられて、第の入力と組み合わせた第２の入力が可能な第２の入力部とを有することを特徴とする入力装置。
【請求項２】
前記第１、第２の入力部は、それぞれインクリメンタル形エンコーダからなり、前記第１の入力部は、前記回転部材の回転に連動して、その回転量を前記第１の出力信号として出力可能とし、前記第２の入力部は、前記回転部材の回転軸芯と平行な水平方向に回動自在の回動部材を有し、その回動に連動して、その回動量を前記第２の信号として出力可能としたことを特徴とする請求項１記載の入力装置。
【請求項３】
前記第１の入力部の１回転のパルス数に比し、前記第２の入力部の１回転のパルス数が多くなるようにコードパターンを形成したことを特徴とする請求項２記載の入力装置。
【発明の詳細な説明】
【０００１】
【発明の属する技術分野】
本発明は回転自在の操作部材を備えた入力装置に係わり、特に、電子機器に動作制御の情報を入力可能な入力装置に関する。
【０００２】
【従来の技術】
従来の入力装置は、図９に示すように、基板２１に対して、ローラ型の第１、第２の操作部材２２、２３が、共通の軸芯（図示せず）を中心に、それぞれ独立して回転自在に配設されている。
前記第１の操作部材２２は、矢印Ａ１、Ａ２方向に回転操作可能になっており、この第１の操作部材２２を矢印Ａ１、Ａ２方向に回転操作することにより、回転型パルススイッチ（図示せず）が操作されて第１の入力が可能になっている。また、第２の操作部材２３も第１の操作部材２２と同様に、矢印Ａ３、Ａ４方向に回転操作可能になっており、この第２の操作部材２３を矢印Ａ３、Ａ４方向に回転操作することにより、第１の操作部材２２と同様に回転型パルススイッチ（図示せず）が操作されて第２の入力が可能になっている。
【０００３】
このような構成の従来の入力装置を、例えば携帯電話機（図示せず）に用いたもので説明すると、第１の操作部材２２を矢印Ａ１、またはＡ２方向に回転操作することにより、第１の入力が行われて、ディスプレイ上に表示されるカーソルを、上方または下方の垂直方向に移動操作可能になっている。
また、第２の操作部材２３を矢印Ａ３、またはＡ４方向に回転操作することにより、第２の入力が行われてディスプレイ上に表示されるカーソルを、右方向または左方向の水平方向に移動操作可能になっている。
【０００４】
【特許文献１】
特開２００１−２８２４３５号公報
【０００５】
【発明が解決しようとする課題】
しかし、前述したような従来の入力装置は、第１、第２の操作部材２２、２３が同形状のローラ型であると共に互いに接近して配設されているので、２つの操作部材２２、２３を選択時に、例えば第１の操作部材２２を親指等で回転操作するとき、意図しない第２の操作部材２３も一緒に回転したりして誤入力が発生するおそれがあった。
【０００６】
この対策として、第１、第２の操作部材２２、２３を互いに離したり、ローラ径を異ならせることは可能であるが、第１、第２の操作部材２２、２３を離した場合は、親指等による１本の指での操作性が落ちる問題があった。
また、第１、第２の操作部材２２、２３を互いに離して配設すると、幅方向が大きくなり、ローラ径を異ならせると、厚み方向が大きくなるため、従来の入力装置を用いた、例えば携帯電話機等が大型になる問題があった。
本発明は、前述したしたような課題を解決して、誤入力を防止することができると共に、小型化が可能で操作性に優れた入力装置を提供することを目的とする。
【０００７】
【課題を解決するための手段】
前記課題を解決するための第１の手段として本発明の入力装置は、回転自在の回転部材を備え、この回転部材の外側には、前記回転部材の回転軸芯と平行な水平方向に回動自在の回動部材を配設し、前記回転部材の回転操作で第１の入力が可能第１の入力部と、前記回動部材の回動操作で第２の入力が可能な第２の入力部とを有することを特徴とする。
【０００８】
また、前記課題を解決するための第２の手段として、前記第１、第２の入力部は、それぞれインクリメンタル形エンコーダからなり、前記第１の入力部は、前記回転部材の回転に連動して、その回転量を前記第１の出力信号として出力可能とし、前記第２の入力部は、前記回動部材の回動に連動して、その回動量を前記第２の信号として出力可能としたことを特徴とする。
【０００９】
また、前記課題を解決するための第３の手段として、前記回転部材は、ローラ状の回転操作部を有し、この回転操作部の一端部側が前記第１の入力部に前記回転自在に支持され、前記回動部材は、前記回動操作部が前記回転部材の外側に配設した筒状の基台に前記回動自在に支持されていることを特徴とする。
【００１０】
【発明の実施の形態】
以下、本発明の入力装置を図１〜図８に基づいて説明する。図１は本発明の入力装置を用いたリモコン装置の平面図であり、図２は図１の側面図であり、図３は図１の３−３断面図であり、図４、図５は本発明に係わる第１入力部を説明する図であり、図６〜図８は本発明に係わる第２入力部を説明する図である。
【００１１】
まず、本発明の入力装置１を、例えば車に搭載されてオーディオ装置あるいはナビゲーション等を操作可能なリモコン装置に用いたもので図１〜図３に基づいて説明する。このような本発明の入力装置１を用いたリモコン装置２は、筐体３と、この筐体３の上方に位置する上ケース４とが、それぞれ樹脂材料で形成されて配設されている。
前記筐体３の一部には、所定の幅寸法と深さ寸法でリング状の凹部３ａが形成され、筐体３上に位置する上ケース４は、円形状の開口部４ａが形成されて、凹部３ａ上が開放されている。
【００１２】
また、入力装置１は、ローラ状の回転操作部７ａを有する第１の入力部８と、この第１の入力部８を囲むように配置された第２の入力部５とからなる。
【００１３】
そして、この第２の入力部５は、中空状のロータを有する中空エンコーダからなり、その内側に露出した筐体３には、表面が平坦状に形成されて外形が円形状のカバー部材６が配設され、このカバー部材６には、横長状の開口部６ａが貫通形成され、この開口部６ａに回転部材７が位置して回転自在になっている。
前記回転部材７は、ローラ状の回転操作部７ａを有し、この回転操作部７ａの一端部側である図示左側が第１の入力部８に支持され、回転操作部７ａの他端部側である図示右側が回転支持部９に支持されて矢印Ｄ、Ｃ方向に回転自在になっている。
【００１４】
前記第１の入力部８は、図４、図５に示すように、外周部がケース８ａで覆われており、このケース８ａ内部に回転体８ｂが配設されている。この回転体８ｂの外周側面にコードパターン８ｃおよび共通パターン８ｄが形成され、前記コードパターン８ｃには、一対の摺動子８ｅ、８ｅが摺接するように配設され、共通パターン８ｄには、摺動子８ｆが摺接するようになっている。
前記それぞれの摺動子８ｅ、８ｆは、基板８ｇに埋設支持され、可動体８ｂには、凹凸状のカム山８ｈが形成され、このカム山８ｈに係脱可能な係合部材８ｉが基板８ｇに支持されている。
【００１５】
また、基板８ｇの下部からは、外部端子８ｊ、８ｋ、８ｍが引き出し形成されている。
また、可動体８ｂには、六角孔８ｎが貫通形成されており、この六角孔８ｎに回転操作部７ａの六角形状の回転軸（図示せず）が挿通されて支持され、回転操作部７ａの図示右側が回転支持部９に支持されて、回転部材７が矢印Ｃ、Ｄ方向に回転自在になっている。
【００１６】
前記回転部材７を回転自在に支持する第１の入力部８は、摺動子８ｆを共通パターン８ｄに常時弾接させて、回転部材７を回転操作して一対の摺動子８ｅ、８ｅをコードパターン８ｃに摺接させることにより、回転部材７の回転に連動して摺動子８ｅ、８ｅが位相差を持ってコードパターン８ｃに接離して所定のパルス数（例えば、１回転あたり６パルス）からなる第１の出力信号（図示せず）が出力されるようになっている。
そして、出力されるパルス数を制御部（図示せず）で累積加算することにより、回転部材７の回転量が検出されると共に、コードパターン３ｃの位相差によって、回転方向を検出することが可能になっている。
即ち、第１の入力部８は、回転部材７の矢印Ｃ、Ｄ方向の回転に連動して、その回転量を第１の出力信号として出力可能なインクリメンタル形エンコーダからなっている。そして、第１の出力信号に対応して第１の入力を行うことができる。
【００１７】
また、第２の入力部５は図６〜図８に示すように、合成樹脂製のウエハ５ａと、このウエハ５ａに回転自在に装着された合成樹脂製のロータ５ｂとからなる。前記ロータ５ｂは、中空円筒状のつまみに、回動部材１０が配設され、この回動部材１０は、カバー部材６の円形状の外周部と上ケース４の開口部４ａの内周部との間の隙間部分に、リング状の回動操作部１０ａが配設されて、ロータ５ｂを回動操作可能になっている。
そして、回動操作部１０ａを回動操作すると、第２の入力部５のロータ５ｂがウエハ５ａ上を回転部材７の回転軸芯と平行な水平方向である矢印Ｅ、Ｆ方向に回動するようになっている。
また、回動部材１０は、回動操作部１０ａの表面に、複数のメニュウ選択突起１０ｃが形成されて、例えばラジオ、ＣＤ、ＴＶ、ナビゲーション等のメニュウ選択が可能になっている。
【００１８】
また、第２の入力部５は、ロータ５ｂの裏面側に摺動子５ｃが配設され、中空つまみを回動操作すると、摺動子５ｃがウエハ５ｂに形成したコードパターン５ｄおよび共通パターン５ｅに摺接するようになっている。
そして、摺動子５ｃが摺接することにより、ロータ５ｂの回動に連動して摺動子５ｃが位相差を持ってコードパターン５ｄに接離して所定のパルス数（例えば１回転あたり１２パルス）からなる第２の出力信号（図示せず）が出力されるようになっている。
【００１９】
前記出力されるパルス数を制御部（図示せず）で累積加算することにより、回動部材１０の回動量が検出されると共に、コードパターン５ｄの位相差によって、矢印Ｅ、Ｆの回動方向を検出することが可能になっている。
即ち、第２の入力部５は、摺動子５ｃならびにコードパターン５ｄおよび共通パターン５ｅ等からなり、回動部材１０の矢印Ｅ、Ｆ方向の水平方向の回動に連動して、その回動量を第２の出力信号として出力可能なインクリメンタル形エンコーダからなっている。
また、本発明の入力装置１の回転部材７におけるカム山８ｈと係合部材８ｉとからなるクリック部材と同様に回動部材１０にもカム山５ｆと係合部材５ｇからなるクリック発生手段が配設されて、回転部材７を回転操作および回動部材１０を回動操作することにより、それぞれクリック感が発生するようになっており、操作時に回転量あるいは回動量を容易に確認できるようになっている。
【００２０】
前述したような入力装置１の操作を用いたリモコン装置２の操作を説明すると、
まず、回動部材１０を矢印Ｅ、またはＦ方向に回動による第２の入力で、メニュウ選択突起１０ｃが所望の位置に位置合わせされることにより、第２の入力部により所望のメニュー選択が行われる。
【００２１】
次に、回転部材７を回転操作して第１の入力部８を操作することにより、選択されたメニュウを実行可能になっている。
例えば、回動部材１０を矢印ＥまたはＦ方向に回動操作して第２の入力を行って、メニュウ選択でラジオ放送を選択する。
その後、回転部材７を矢印ＣまたはＤ方向に回転操作して第１の入力を行うことによりメニュウ選択されたラジオの放送局が選択実行されて、所望の受信周波数からなるラジオ局の放送を受信することができる。
【００２２】
また、ラジオ放送の受信を中止してＣＤ演奏を聴きたい場合は、再度回動部材１０を回動操作して第２の入力を行って、メニュウ選択でＣＤ演奏を選択する。その後、ＣＤディスクの所望の演奏曲を選択実行するために、回転部材７を回転操作して第１の入力を行う。この第１の入力で、所望するＣＤの演奏曲が選択実行されて、所望するＣＤの演奏曲を聞くことができる。
また、ＣＤディスクを複数枚収納したＣＤチエンジャを搭載している場合には、回転部材７の回転操作によって、ＣＤチエンジャ内から所望のＣＤディスクを選択するように構成することも可能である。
【００２３】
このような本発明の入力装置１は、回転部材７が矢印Ｃ、Ｄ方向の回転操作、また、回動部材１０が矢印Ｅ、Ｆの水平方向の回動操作と、第１、第２の入力を行う場合に、互いに異なる方向に操作しなければならないので、従来のような誤入力の発生を防止することができる。
また、本発明の入力装置１を車載用のリモコン装置２に搭載したもので説明したが、例えばノートパソコン（図示せず）に搭載して一体化し、水平状態とした回転部材７を回転操作することで、ディスプレー上のカーソルを所望の量移動操作可能とし、回動部材１０を所望の角度回動操作することで、ディスプレー上のカーソルを所望角度傾いた方向に移動させるようにしたものでも良い。
【００２４】
あるいは、日本語のア、カ、サ、タ、ナ等の母音の列方向の選択と、イ、ウ、エ、オ等の子音の行方向の選択とを行って、所望の文字入力を行う場合に、回動部材１０の回動操作と回転部材７の回転操作とを組み合わせて行うようにしたものでも良い。この場合、中空エンコーダは、径が大きい分、コードパターンをたくさん配置できるので、入力候補群の数の大きい方を中空エンコーダ側（即ち、回動部材１０側）に割り付け、少ない方をローラ状の回転部材７に連結されたエンコーダに割り付けるのが好ましい。
また、いずれにおいても、１回転で入力候補群を１巡させて先頭に戻すように割り付けできるが、中空エンコーダ側に９０°回転で入力候補を１巡させて、１周３６０°で４セット繰り返すような入力とすることも可能である。
また、ノートパソコン等のディスプレー上のカーソルを移動操作するものに限らず、例えば重たい荷物を所望の高さに持ち上げて所望の位置に移動させるクレーン装置のリモコン等に搭載して一体化し、回転部材７の回転量に連動して荷物を所望の高さに上昇操作し、回動部材１０の回動量に連動して、所望の高さに上昇させた荷物を所望の位置まで移動させるようにしたものでも良い。
尚、上記実施の形態では、第２の入力部を中空エンコーダで構成したが、これに限らず、例えば、第１の入力部を挟んで、４方向、あるいは８方向に配置され、第１の入力部を挟んで、環状に取り囲むようにシーソタイプのスイッチとすることも可能である。
【００２５】
【発明の効果】
以上述べたように本発明は、回転部材の回転操作で第１の入力が可能第１の入力部と、回転部材を囲むように設けられて、第１の入力と組み合わせた第２の入力が可能な第２の入力部とを有するので、回転部材の回転操作と組み合わせつつ、走査方向を明確に区分した様々な入力操作を一つの装置で行うことができ、操作性に優れた入力装置を提供できる。
【００２６】
また、第１の入力部は、回転部材の回転に連動して、その回転量を前記第１の出力信号として出力可能とし、第２の入力部は、回動部材の回動に連動して、その回動量を前記第２の信号として出力可能としたので、多数の入力候補の中から選択を素早く行うことができる。
【００２７】
また、第１の入力部に比して、第２の入力部の１回転のパルス数が多くなるようにコードパターンを形成したので、組み合わせによる入力候補の割り付けを最適化でき、大量の入力候補からの選択を簡単に行える。
【図面の簡単な説明】
【図１】本発明の入力装置を用いたリモコン装置の平面図である。
【図２】図１の側面である。
【図３】図１の３−３断面図である。
【図４】本発明の係わる第１入力部の要部断面側面図である。
【図５】本発明に係わる第１入力部の要部断面正面図である。
【図６】本発明に係わる第２入力部を説明する図である。
【図７】本発明に係わる第２入力部を説明する図である。
【図８】本発明に係わる第２入力部を説明する図である。
【図９】従来の入力装置の概略図である。
【符号の説明】
１  本発明の入録装置
２  リモコン装置
３  筐体
３ａ  凹部
４  上ケース
４ａ  開口部
５  第２の入力部
５ａ  ウエハ
５ｂ  ロータ
６  カバー部材
６ａ  開口部
７  回転部材
７ａ  回転操作部
８  第１の入力部
８ａ  ケース
８ｂ  回転体
８ｃ  コードパターン
８ｄ  共通パターン
９  回転支持部
１０  回動部材
１０ａ  回動操作部
【図１】
2004334290.tif 000003
【図２】
2004334290.tif 000004
【図３】
2004334290.tif 000005
【図４】
2004334290.tif 000006
【図５】
2004334290.tif 000007
【図６】
2004334290.tif 000008
【図７】
2004334290.tif 000009
【図８】
2004334290.tif 000010
【図９】
2004334290.tif 000011